(57)【要約】    【課題】      通信事業者のシステム仕様に合わせた顧客情報データベース、ＩＰ呼制御装置等を用意することなく、独自通信網内の端末をキャリア通信網に接続可能なシステムを実現し、システム構成の簡略化及びコストダウンすること。    【解決手段】  インターネット網上に構築したＳＩＰ内線網１０でＳＩＰ端末間の接続を制御する内線網ＳＩＰサーバ３０を備える。内線網ＳＩＰサーバ３０に、各キャリアから取得した１つ又は複数のキャリア用特定番号又は代表番号を収容するＳＩＰ相互接続部３３を設ける。ＳＩＰ内線網１０の外となるキャリアＶｏＩＰ網４１からの着信し又はＳＩＰ内線網１０内からキャリアＶｏＩＰ網４１への発信にはＳＩＰ相互接続部３３に収容したキャリア用特定番号又は代表番号を使用し、ＳＩＰ相互接続部３３において外線発信及び外線着信する。ＳＩＰ内線網１０内では内線番号を使用して接続制御する。  【選択図】      図１
2006109110.tif 000002
【特許請求の範囲】
【請求項１】
インターネット上に構築した独自ＳＩＰ網においてＳＩＰ端末間の接続を制御するＳＩＰサーバであって、
前記ＳＩＰ端末の代わりにキャリアに登録したユーザエージェントに対しキャリアから付与されたキャリア用特定番号又は代表番号を収容し、当該キャリア用特定番号又は代表番号にてキャリア通信網から着信し又はキャリア通信網へ発信するＳＩＰ相互接続部と、
前記キャリア用特定番号と前記独自ＳＩＰ網内における各ＳＩＰ端末の独自網内特定番号とを含む接続制御データを管理するデータベースと、
ＳＩＰ相互接続部に収容したキャリア用特定番号又は代表番号に外線着信があると前記データベースを参照して独自ＳＩＰ網内の該当ＳＩＰ端末に接続する一方、前記独自ＳＩＰ網内のＳＩＰ端末からキャリア通信網に対する外線発信があると前記データベースを参照して該当キャリアから付与されたキャリア用特定番号又は代表番号にてキャリア通信網へ接続する接続制御手段と、を具備したＳＩＰサーバ。
【請求項２】
前記接続制御手段は、前記ＳＩＰ相互接続部に収容したキャリア用特定番号に外線着信があると、前記データベースを参照して当該キャリア用特定番号を独自網内特定番号に変換し、変換した独自網内特定番号に基づいて該当ＳＩＰ端末へ接続する請求項１記載のＳＩＰサーバ。
【請求項３】
前記接続制御手段は、前記ＳＩＰ相互接続部に収容した代表番号に外線着信があると、発信元に対して独自網内特定番号の入力を要求し、要求に応じて入力された独自網内特定番号に基づいて該当ＳＩＰ端末へ接続する請求項１記載のＳＩＰサーバ。
【請求項４】
前記接続制御手段は、独自ＳＩＰ網内のＳＩＰ端末からキャリア通信網に対する外線発信があると、前記データベースを参照して当該ＳＩＰ端末の独自網内特定番号をキャリア用特定番号に変換し、変換したキャリア用特定番号を使用してキャリア通信網に接続する請求項１から請求項３のいずれかに記載のＳＩＰサーバ。
【請求項５】
前記接続制御手段は、独自ＳＩＰ網内のＳＩＰ端末からキャリア通信網に対する外線発信があると、前記データベースを参照して当該ＳＩＰ端末の独自網内特定番号を代表番号に変換し、変換した代表番号を使用してキャリア通信網に接続する請求項１から請求項３のいずれかに記載のＳＩＰサーバ。
【請求項６】
前記ＳＩＰ相互接続部は、複数のキャリアからそれぞれ付与されたキャリア用特定番号又は代表番号の少なくとも一方を収容し、
前記接続制御手段は、発信先の属するキャリア通信網のキャリア用特定番号又は代表番号が前記ＳＩＰ相互接続部に未収容の場合、前記ＳＩＰ相互接続部に収容されている他のキャリア通信網のキャリア用特定番号又は代表番号を使用して当該他のキャリア通信網に接続し、この他のキャリア通信網経由で発信先の属するキャリア通信網に接続する請求項４又は請求項５記載のＳＩＰサーバ。
【請求項７】
前記接続制御手段は、発信先の属するキャリア通信網のキャリア用特定番号又は代表番号が前記ＳＩＰ相互接続部に収容されている場合、優先的に当該キャリア用特定番号又は代表番号を使用して発信先の属するキャリア通信網に接続する請求項６記載のＳＩＰサーバ。
【請求項８】
前記データベースは、独自ＳＩＰ網上のアプリケーションサーバに関するキャリア用特定番号又は代表番号と独自網内特定番号とを管理し、
前記接続制御手段は、前記アプリケーションサーバのキャリア用特定番号又は代表番号に対し外線着信があると、前記データベースを参照して発信元を当該アプリケーションサーバへ接続し、発信元に対してアプリケーションサーバからサービス提供する請求項１から請求項７のいずれかに記載のＳＩＰサーバ。
【請求項９】
前記接続制御手段は、前記アプリケーションサーバの独自網内特定番号に対し独自ＳＩＰ網内から着信があると、前記データベースを参照して発信元を当該アプリケーションサーバへ接続し、発信元に対してアプリケーションサーバからサービス提供する請求項８記載のＳＩＰサーバ。
【請求項１０】
前記接続制御手段は、独自ＳＩＰ網内のＳＩＰ端末同士の通話中又はキャリア側端末とＳＩＰ端末との通話中に両方の通話端末から所望のアプリケーションサーバへの接続要求をそれぞれ受け付けて該当端末と該当アプリケーションサーバとの接続を行う請求項８記載のＳＩＰサーバ。
【請求項１１】
前記接続制御手段は、独自ＳＩＰ網内のＳＩＰ端末同士の通話中又はキャリア側端末とＳＩＰ端末との通話中に片方の通話端末からアプリケーションサーバへの接続要求を受け付けて該当端末とアプリケーションサーバとの接続を行う請求項８記載のＳＩＰサーバ。
【請求項１２】
前記接続制御手段は、独自ＳＩＰ網内のＳＩＰ端末同士の通話中又はキャリア側端末とＳＩＰ端末との通話中に一方の通話端末からアプリケーションサーバへの接続要求を受け付けると、他方の通話端末を前記アプリケーションサーバへ接続する請求項１０又は請求項１１記載のＳＩＰサーバ。
【請求項１３】
前記接続制御手段は、独自ＳＩＰ網内のＳＩＰ端末同士の通話中又はキャリア側端末とＳＩＰ端末との通話中に一方の通話端末からアプリケーションサーバへの接続要求を受け付けると、当該要求元の通話端末を前記アプリケーションサーバへ接続する請求項１０又は請求項１１記載のＳＩＰサーバ。
【請求項１４】
前記接続制御手段は、独自ＳＩＰ網内のＳＩＰ端末同士の通話中又はキャリア側端末とＳＩＰ端末との通話中に一方の通話端末からアプリケーションサーバへの接続要求を受け付けると、両方の通話端末を前記アプリケーションサーバへ接続する請求項１０又は請求項１１記載のＳＩＰサーバ。
【請求項１５】
アプリケーションサーバへの接続要求は、前記データベースで管理されているアプリケーションサーバのキャリア用特定番号、代表番号又は独自網内特定番号を用いて行われることを特徴とする請求項８から請求項１４のいずれかに記載のＳＩＰサーバ。
【発明の詳細な説明】
【技術分野】
【０００１】
本発明は、インターネット上に独自に構築したＳＩＰ内線網においてＳＩＰ端末間の通信を制御する内線網ＳＩＰサーバに関する。
【背景技術】
【０００２】
近年、通信事業者が独自に構築したＶｏＩＰ網（キャリア通信網）を使ってＩＰ電話サービスの提供を開始している。通信事業者と契約したユーザは同一キャリアＶｏＩＰ網内ではＩＰ電話機同士で音声通話が可能であり、通信事業者から割り当てられたＩＰ電話専用電話番号（０５０電話番号）にてＰＳＴＮ網から着信を受けることもできる（例えば、特許文献１参照）。現在は各通信事業者がそれぞれ独自にキャリアＶｏＩＰ網を運営している。
【０００３】
一方、テレビジョン装置、ビデオカメラ等の家電製品をＩＰネットワークに接続可能に構成したいわゆるネット家電機器が製品化されつつある。ＩＰ電話も含む概念のネット家電機器をＩＰネットワークに接続してＩＰネットワーク経由でネット家電機器に特化したサービス提供を受けられるようにすることも望まれる。そのために、ＩＳＰ（Internet Service Provider）等がインターネット上に独自の通信網を構築し、その独自通信網において契約ユーザのネット家電機器に対して独自サービスを提供することが考えられる。
【特許文献１】特開２０００−０２２８１４号公報
【発明の開示】
【発明が解決しようとする課題】
【０００４】
しかしながら、独自通信網内のネット家電機器をキャリアＶｏＩＰ網に接続しようとすれば、ＩＰ電話以外のネット家電機器にもＩＰ電話と同等の機能が必要となりネット家電機器の実装が重くなる問題がある。
【０００５】
また、独自通信網側にゲートウェイを設けてネット家電機器の実装を軽くしようとすれば、キャリアＶｏＩＰ網と同等のインフラ（顧客情報データベース、ＩＰ呼制御装置等）が独自通信網側にも必要となる。しかも、システム仕様は通信事業者毎に異なるので、複数の通信事業者に対応しようとすれば、通信事業者の数だけ顧客情報データベース、ＩＰ呼制御装置等の設備を用意する必要があり、システムの複雑化及びコストアップを招くといった問題がある。
【０００６】
本発明は、以上のような実情を鑑みてなされたもので、通信事業者のシステム仕様に合わせた顧客情報データベース、ＩＰ呼制御装置等の設備を用意することなく、独自通信網内の端末をキャリアＶｏＩＰ網に接続可能で、システム構成の簡略化及びコストダウンを実現可能なＳＩＰサーバを提供することを目的とする。
【課題を解決するための手段】
【０００７】
本発明は、インターネット上に構築した独自ＳＩＰ網でＳＩＰ端末間の接続を制御するＳＩＰサーバにおいて、各キャリアから１つ又は複数のキャリア用特定番号又は代表番号を取得して、キャリア通信網から着信し又はキャリア通信網への発信にはキャリア用特定番号又は代表番号を使用し、独自ＳＩＰ網内では独自網内特定番号を使用して接続制御するようにした。
【０００８】
これにより、本ＳＩＰサーバはそれぞれのキャリア通信網に対するユーザエージェントとして扱われるので、通信事業者のシステム仕様に合わせた顧客情報データベース、ＩＰ呼制御装置等を用意することなく、各キャリア通信網に接続することができる。一方、独自ＳＩＰ網内では独自網内特定番号を使用して接続制御し、キャリア通信網との接続は本ＳＩＰサーバが代行するので、ＳＩＰ端末となるネット家電機器にＩＰ電話と同等の機能を持たせる必要がなくなり、実装を軽減できる。
【発明の効果】
【０００９】
本発明によれば、通信事業者のシステム仕様に合わせた顧客情報データベース、ＩＰ呼制御装置等を用意することなく、独自通信網内の端末をキャリア通信網に接続可能で、システム構成の簡略化及びコストダウンを実現可能なＳＩＰサーバを提供できる。
【発明を実施するための最良の形態】
【００１０】
以下、本発明の実施の形態について図面を参照して具体的に説明する。
【００１１】
図１は、内線網ＳＩＰサーバを含んだネットワーク全体の構成図である。インターネット網上に複数のインターネットサービスプロバイダＩＳＰ−Ａ，ＩＳＰ−Ｂ，ＩＳＰ−Ｃによって管理されるＩＳＰ網１１，１２，１３が構築されている。ＩＳＰ網１１，１２，１３に対しルータ１４、１５、１６、１７等を経由してＩＰ電話機１８、１９、ＩＰテレビ２０、ＩＰビデオカメラ２１が接続する。これらの端末は各々対応するＩＳＰ−Ａ，ＩＳＰ−Ｂ，ＩＳＰ−Ｃと契約した端末であり、対応するＩＳＰ−Ａ，ＩＳＰ−Ｂ，ＩＳＰ−ＣからＩＰアドレスを付与されている。複数のＩＳＰ網１１，１２，１３にまたがるようにして独自のＳＩＰ通信網（以下、「ＳＩＰ内線網」という）を構築している。ＳＩＰ内線網１０では独自の電話番号体系に基づいて各ＳＩＰ端末に内線番号を付与している。ＳＩＰ内線網１０を運営する事業者と契約して内線番号を付与されたＳＩＰ端末がＳＩＰ内線網１０内の端末となる。ＳＩＰ内線網１０内の端末は内線番号及びＩＰアドレスを後述する内線網ＳＩＰサーバに登録する。
【００１２】
ＳＩＰ内線網１０は内線網内のＳＩＰ端末の接続にＳＩＰを用いる。同図にはＳＩＰ端末としてＩＰ電話機１８、１９、ＩＰテレビ２０、ＩＰビデオカメラ２１が例示されているが、これらのネット家電機器に限定されない。ＳＩＰ内線網１０に属するＳＩＰ端末の接続制御はインターネット網上にある内線網ＳＩＰサーバ３０が行う。
【００１３】
一方、インターネット網上には複数のキャリア（キャリアＡ，Ｂ，Ｃ）がキャリア通信網の一つであるＶｏＩＰ網４１，４２，４３を構築している。ＶｏＩＰ網４１，４２，４３はキャリアによって帯域が管理され保証された網である。図１にはＶｏＩＰ網４１に対してルータ４４、４５を経由してＩＰ電話機４６、その他のＩＰ端末４７を接続した状態を例示している。
【００１４】
ＶｏＩＰ網４１，４２，４３の各加入端末（ＩＰ電話機４６等）は、接続先の各キャリアから０５０番体系によるＩＰ電話用の特定番号（以下、０５０電話番号という）が付与されている。加入端末は０５０電話番号を使用して契約しているＶｏＩＰ網４１，４２，４３に接続する。ＶｏＩＰ網４１，４２，４３には、キャリアＳＩＰサーバ５１、５２、５３が備えられている。
【００１５】
キャリアＳＩＰサーバ５１、５２、５３は、自己のキャリアのＶｏＩＰ網４１，４２，４３において同一キャリアの加入端末の接続を制御すると共に、異なるキャリアのＶｏＩＰ網（４１，４２，４３）に接続して異キャリアの加入端末の接続を制御する。各キャリアＡ，Ｂ，ＣはＰＳＴＮ網５４、５５、５６を管理しており、ＰＳＴＮ網とＶｏＩＰ網との間の接続も行っている。ＰＳＴＮ網５４、５５、５６には各キャリアと契約した加入者の一般電話機５７、５８、５９が接続している。
【００１６】
図２は、図１に示すネットワーク構成において、インターネット網、ＩＳＰ網、ＳＩＰ内線網、ＶｏＩＰ網、ＰＳＴＮ網の関係を示した概念図である。インターネット網上に複数のＩＳＰ網１１，１２，１３が構築され、ＳＩＰ内線網１０はＩＳＰ網１１，１２，１３にまたがって構築されている。また、キャリアＡ，Ｂ，ＣのＶｏＩＰ網４１，４２（４３）もインターネット網上にあり、そのＶｏＩＰ網４１，４２（４３）に対してＰＳＴＮ網５４，５５（５６）が接続されている。
【００１７】
図３は内線網ＳＩＰサーバ３０のシステム構成図である。内線網ＳＩＰサーバ３０は、ＳＩＰ本体３１、ＳＩＰ接続制御部３２、ＳＩＰ相互接続部３３、データベース３４を主な構成要素としている。この内線網ＳＩＰサーバ３０は、ＩＳＰにて構築されても良いし、キャリア網管理システム内に構築されても良い。
【００１８】
ＳＩＰ本体３１は、ＳＩＰ相互接続部３３に収容した０５０電話番号に外線着信があるとデータベース３４を参照してＳＩＰ内線網１０内の該当ＳＩＰ端末に接続する一方、ＳＩＰ内線網１０内のＳＩＰ端末からキャリアのＶｏＩＰ網（キャリア通信網）に対する外線発信があるとデータベース３４を参照して該当キャリアから付与された０５０電話番号にてＶｏＩＰ網へ発信する接続制御手段としての機能を有する。
【００１９】
ＳＩＰ接続制御部３２は、ＳＩＰ内線網１０内のＳＩＰ端末から内線網ＳＩＰサーバ３０に対して送信された信号（ＩＰパケット）をインターネット網から受信すると共に、内線網ＳＩＰサーバ３０がＳＩＰ内線網１０内のＳＩＰ端末に対して送出する信号（ＩＰパケット）をインターネット網へ送出する部分である。ＳＩＰ端末に対するシグナリング制御はＳＩＰ本体３１が行うが、インターネット網経由のその他の接続制御はＳＩＰ接続制御部３２が行っている。
【００２０】
ＳＩＰ相互接続部３３は、ＳＩＰ内線網１０内のＳＩＰ端末の代わりにキャリアＡ，Ｂ，Ｃに登録されたユーザエージェントに対し付与された０５０電話番号を収容する。接続先のキャリアに登録したユーザエージェントに対し付与された０５０電話番号にて、対応するキャリアのＶｏＩＰ網４１、４２、４３に接続する。なお、ＳＩＰ内線網１０内の全てのＳＩＰ端末をユーザエージェントとして各キャリアＡ，Ｂ，Ｃに登録することもできるが、所定数のユーザエージェントを各キャリアＡ，Ｂ，Ｃに登録するようにしても良い。この場合、ＶｏＩＰ網４１、４２、４３へ発信する際に発信元の０５０電話番号を動的に割り付けるように制御する。
【００２１】
図４に示すように、複数のキャリアＡ，Ｂ，Ｃに対して複数のユーザエージェント（ＵＡ）をそれぞれ登録し、各キャリアＡ，Ｂ，Ｃからユーザエージェント（ＵＡ）に付与された０５０電話番号をＳＩＰ相互接続部３３に収容している。したがって、ＶｏＩＰ網４１、４２、４３からＳＩＰ相互接続部３３に収容する各キャリアの０５０電話番号に着信してくると共にＳＩＰ相互接続部３３の収容する０５０電話番号から対応するキャリアのＶｏＩＰ網４１、４２、４３に発呼する。なお、０５０電話番号には代表番号の概念も含まれる。またＩＰ電話の識別番号（０５０）＋事業者の識別番号＋加入番号から構成される０５０電話番号を想定しているが、このような番号体系に限定されるものではない。
【００２２】
図４に示すように、キャリアＡのキャリアＳＩＰサーバ５１は、ＳＩＰに基づいた接続制御（呼制御）を行うＩＰ呼制御装置６１とキャリアＡに登録した各ユーザエージェントに関する情報を登録したデータベース６２とを備える。データベース６２には登録ユーザエージェントに対し付与した０５０電話番号と登録ユーザエージェントのＩＰアドレスとが対応づけて記憶されている。他のキャリアＢ，ＣのキャリアＳＩＰサーバ５２、５３も同様の構成を有している。ユーザエージェントのＩＰアドレスはＳＩＰ相互接続部３３のＩＰアドレスとなる。
【００２３】
データベース３４は、ＩＰ相互接続部３３の収容する０５０電話番号とＳＩＰ内線網１０内のＳＩＰ端末の内線番号（独自網内特定番号）とを含む接続制御データを管理する。接続制御データにはＳＩＰ端末が契約ＩＳＰから付与されたＩＰアドレスを含む。図５に０５０電話番号と内線番号との対応関係を示す。キャリアＡのデータベース６２には加入者端末（ＵＡ）に付与した０５０電話番号とそのＩＰアドレスとが登録されていて、加入者端末（ＵＡ）の一部に内線網ＳＩＰサーバ３０が仮想的に登録したユーザエージェントが含まれている（050-1234-5678）。仮想ユーザエージェントのＩＰアドレスはＳＩＰ相互接続部３３のＩＰアドレスとなる。同様に、キャリアＢのデータベース６２にも内線網ＳＩＰサーバ３０が仮想的に登録したユーザエージェントが含まれている（050-2345-6789）。内線網ＳＩＰサーバ３０のデータベース３４には、各キャリアＡ，Ｂにそれぞれ登録したユーザエージェントの０５０電話番号と内線番号とＩＰアドレスとが登録されている。図５に示す例では、ＳＩＰ内線網１０のＳＩＰ端末とキャリアに仮想的に登録したユーザエージェントとを１対１で対応させているので、０５０電話番号と内線番号とが１対１で対応する。しかし、必ず１対１対応である必要は無く、キャリアから付与された１つの０５０電話番号をＳＩＰ内線網１０内の複数のＳＩＰ端末で使用することもできる。この場合、１つの０５０電話番号に対して複数の内線番号が対応することになる。０５０電話番号は１つのキャリアから取得した複数の０５０番号のうちの一つであったり、キャリアから付与されたいわゆる代表番号であったりする。ＳＩＰ本体３１は、データベース３４を参照してキャリアの０５０電話番号とＳＩＰ内線網１０の内線番号との付け替えを行う。
【００２４】
次に、以上のように構成された内線網ＳＩＰサーバ３０の動作について具体的に説明する。
【００２５】
図６に示すモデルを参照して、ＳＩＰ内線網１０のＩＰ電話機１８にキャリアＡのＶｏＩＰ網４１から外線着信があった場合及びＳＩＰ内線網１０のＩＰ電話機１８からキャリアＡのＶｏＩＰ網４１へ外線発信する場合について説明する。説明を簡略化するために、ＩＰ電話機１８の内線番号（8712-3456）とＳＩＰ相互接続部３３が持つ０５０電話番号（050-1234-5678）とが対応付けられているものとする。
【００２６】
キャリアＡの加入端末であるＩＰ電話機４６が、発信先のＩＰ電話機１８に発呼するためにキャリアＡの０５０電話番号（050-1234-5678）をダイアルする。キャリアＡの０５０電話番号（050-1234-5678）はＩＰ電話機１８の代わりに仮想的にキャリアＡに登録したユーザエージェントに対してキャリアＡから付与されたＩＰ電話番号である。ＩＰ電話機４６は、０５０電話番号（050-1234-5678）がダイアルされると、キャリアＡのＶｏＩＰ網４１に対して発呼処理を行う。すなわち、０５０電話番号（050-1234-5678）を発信先としたＩＮＶＩＴＥリクエストをＶｏＩＰ網４１のキャリアＳＩＰサーバ５１に対して送信する。
【００２７】
キャリアＳＩＰサーバ５１は、ＩＰ電話機４６からＩＮＶＩＴＥリクエストを受信すると、データベース６２を参照して発信先電話番号（050-1234-5678）のＩＰアドレスを取得する。そして、発信先電話番号（050-1234-5678）のＩＰアドレスに対してＩＮＶＩＴＥリクエストを送信する。
【００２８】
ここで、データベース６２に発信先電話番号（050-1234-5678）に対応して登録したＩＰアドレスは内線網ＳＩＰサーバ３０のＩＰアドレスである。よって、当該ＩＮＶＩＴＥリクエストはＳＩＰ相互接続部３３へ送信される。キャリアＡから見れば、発信先電話番号（050-1234-5678）を収容するＳＩＰ相互接続部３３は最終的な着呼端末である。すなわち、ＩＮＶＩＴＥリクエストがＶｏＩＰ網４１からＳＩＰ相互接続部３３に到達したことにより発信先電話番号（050-1234-5678）に着呼したことになる。
【００２９】
内線網ＳＩＰサーバ３０は、ＳＩＰ相互接続部３３に外線着信があると、ＳＩＰ本体３１が発信先電話番号を、０５０電話番号（050-1234-5678）から内線番号（8712-3456）に付け替える。データベース３４を参照すると、今回着信した０５０電話番号（050-1234-5678）に対応して本来の発信先であるＩＰ電話機１８の内線番号（8712-3456）が登録されている。そこで、本来の発信先であるＩＰ電話機１８の内線番号（8712-3456）をデータベース３４から取得し、この取得した内線番号（8712-3456）を発信先電話番号に書き換える。
【００３０】
このように、発信先電話番号を内線番号に書き換えたＩＮＶＩＴＥリクエストを内線網ＳＩＰサーバ３０からＩＰ電話機１８へ送信する。具体的は、データベース３４からＩＰ電話機１８のＩＰアドレスを取得し、取得したＩＰアドレスに対して書き換えの行われたＩＮＶＩＴＥリクエストのＩＰパケットを送信する。発信先であるＩＰ電話機１８は、インターネット網経由でＩＮＶＩＴＥリクエストを受信することになる。
【００３１】
図７（ａ）上段に示すように、キャリアＡのＶｏＩＰ網４１においては、ＩＮＶＩＴＥリクエストの発信元にＩＰ電話機４６のキャリアＡの０５０電話番号（050-1234-7890）が設定され、発信先にキャリアＡの０５０電話番号（050-1234-5678）が設定される。そして、ＳＩＰ内線網１０においては、ＩＮＶＩＴＥリクエストの発信先にキャリアＡの０５０電話番号（050-1234-5678）からＳＩＰ内線網１０の内線番号（8712-3456）に付け替えが行われる。
【００３２】
図８は図７（ａ）上段に対応してＶｏＩＰ網４１及びＳＩＰ内線網１０を通るＩＮＶＩＴＥリクエストの具体例を示している。ＶｏＩＰ網４１とＳＩＰ内線網１０とで、ＩＮＶＩＴＥリクエストのｔｏ：フィールドがキャリアＡの０５０電話番号からＳＩＰ内線網１０の内線番号に書き換えられていることが判る。
【００３３】
一方、発信先であるＩＰ電話機１８は、ＩＮＶＩＴＥリクエストを受信して自分宛に外線着信があったことを認識する。外線着信を認識したＩＰ電話機１８は、ＩＮＶＩＴＥリクエストに対してレスポンスを返す。このとき、図７（ａ）下段に示すように、ＩＰ電話機１８から内線網ＳＩＰサーバ３０のＳＩＰ接続制御部３２まではＳＩＰ内線網１０であるので、発信先（発呼側から見ている）にはＩＰ電話機１８の内線番号が使われる。
【００３４】
ＳＩＰ本体３１は、ＳＩＰ接続制御部３２がＳＩＰ内線網１０のＩＰ電話機１８からレスポンスを受け取ると、図７（ａ）下段に示すように、発信先を内線番号（8712-3456）からキャリアＡの０５０電話番号（050-1234-5678）に書き換える。このように、発信先が書き換えられたレスポンスをＶｏＩＰ網４１のキャリアＳＩＰサーバ５１へ送信する。
【００３５】
キャリアＳＩＰサーバ５１は、内線網ＳＩＰサーバ３０からレスポンスを受け取る。このとき、レスポンスの発信先（発呼側から見ている）がキャリアＡの０５０電話番号（050-1234-5678）に書き換えられているので、ＶｏＩＰ網４１では０５０電話番号（050-1234-5678）を収容するＳＩＰ相互接続部３３からのレスポンスであると認識する。すなわち、ＶｏＩＰ網４１のキャリアＳＩＰサーバ５１はＳＩＰ相互接続部３３を発信先として通常のシグナリングを行ったことになる。ＳＩＰ内線網１０内のＳＩＰ端末であるＩＰ電話機１８とのシグナリングを意識する必要は全くない。このことは、ＳＩＰ内線網１０内のＳＩＰ端末がＩＰ電話機１８以外のネット家電機器であっても同様である。
【００３６】
以降同様にして、内線網ＳＩＰサーバ３０がＶｏＩＰ網４１とＳＩＰ内線網１０との境界で発信先電話番号の付け替えを行いながら、２００ＯＫ、ＡＣＫリクエストなどのシグナリングメッセージをやり取りしてセッションを確立する。
【００３７】
セッション確立後は、ＩＰ電話機４６とＩＰ電話機１８とが互いのＩＰアドレスに対してＲＴＰの音声接続を行い音声通信又はデータ通信を行う。
【００３８】
次に、ＳＩＰ内線網１０のＩＰ電話機１８からキャリアＡのＶｏＩＰ網４１へ外線発信する場合について説明する。
【００３９】
例えば、ＳＩＰ内線網１０のＩＰ電話機１８からキャリアＡのＩＰ電話機４６に電話を掛けるユーザは、ＩＰ電話機４６のキャリアＡでの０５０電話番号（050-1234-7890）をダイアルする。これを受けてＩＰ電話機１８は内線網ＳＩＰサーバ３０に対して発呼処理を行う。図７（ｂ）上段に示すように、ＩＰ電話機１８の内線番号（8712-3456）を発信元とし、ＩＰ電話機４６のキャリアＡでの０５０電話番号（050-1234-7890）を発信先としたＩＮＶＩＴＥリクエストを送信する。ＩＮＶＩＴＥリクエストは内線網ＳＩＰサーバ３０のＩＰアドレスに対してＩＰパケットの形式で送信される。
【００４０】
内線網ＳＩＰサーバ３０は、ＳＩＰ接続制御部３２がＳＩＰ内線網１０から受信したＩＰパケットを分析してＩＮＶＩＴＥリクエストを受信したことを認識する。ＳＩＰ本体３１は、ＩＮＶＩＴＥリクエストを受信すると、データベース３４を参照し、発信先のキャリアＡのＶｏＩＰ網４１で使用可能な発信元特定番号として内線番号（8712-3456）に対応したキャリアＡの０５０電話番号（050-1234-5678）を取得する。本例では、図５に示すように内線番号（8712-3456）に対応したキャリアＡの０５０電話番号（050-1234-5678）への付け替えを行う。ＳＩＰ本体３１は、発信元特定番号をキャリアＡの０５０電話番号（050-1234-5678）へ付け替えたＩＮＶＩＴＥリクエストを生成し、生成したＩＮＶＩＴＥリクエストをＳＩＰ相互接続部３３からキャリアＡのキャリアＳＩＰサーバ５１へ送信する。
【００４１】
ここで、内線番号と接続先のキャリアの０５０電話番号とが１対１で対応していない場合もある。このような場合、接続先キャリアから付与された複数の０５０電話番号の中から現在使用可能なものを選択するようにしても良い。０５０電話番号（050-1234-7890）がキャリアの識別番号を含んでいることから、キャリアの識別番号を利用して接続先キャリアを判断するようにしても良い。
【００４２】
キャリアＡのキャリアＳＩＰサーバ５１は、発信元特定番号がキャリアＡの０５０電話番号に付け替えられたＩＮＶＩＴＥリクエストを受信する。キャリアＳＩＰサーバ５１は、そのＩＮＶＩＴＥリクエストから発信先の０５０電話番号（050-1234-7890）を認識し、データベース６２から発信先特定番号（050-1234-7890）に対応したＩＰアドレスを取得する。キャリアＳＩＰサーバ５１は、発信先のＩＰ電話機４６のＩＰアドレスに対してＩＮＶＩＴＥリクエストを送信する。この結果、ＩＰ電話機４６に着信する。
【００４３】
キャリアＳＩＰサーバ５１は、外線着信したＩＰ電話機４６からレスポンスを受信すると、レスポンスに含まれた発信元特定番号（050-1234-5678）に対して当該レスポンスを返す。発信元特定番号（050-1234-5678）はＳＩＰ相互接続部３３の収容する０５０電話番号であるので、ＳＩＰ相互接続部３３に対してレスポンスを送信する。
【００４４】
ＳＩＰ本体３１は、図７（ｂ）下段に示すように受信レスポンスの発信元特定番号（050-1234-5678）をキャリアＡの０５０電話番号からＳＩＰ内線網１０の内線番号(8712-3456)に書き換えた後、当該レスポンスを発信元のＩＰ電話機１８へ転送する。
【００４５】
以降同様にして、発信元のＩＰ電話機１８と発信先のＩＰ電話機４６との間で、ＳＩＰ本体３１にて発信元特定番号の付け替えを行いながら、２００ＯＫ、ＡＣＫリクエストなどのシグナリングメッセージをやり取りしてセッションを確立する。セッション確立後は、ＩＰ電話機１８とＩＰ電話機４６との間で音声通信又はデータ通信を行う。
【００４６】
このように、ＳＩＰ内線網１０内のＳＩＰ端末がキャリアＶｏＩＰ網経由でＳＩＰ内線網１０外の他端末と接続する場合、ＳＩＰ相互接続部３３がエミュレーションする形でキャリアＶｏＩＰ網に接続するので、ＳＩＰ内線網１０内のＳＩＰ端末は必要最小限の実装でＩＰ電話と同等の通信が可能になり実装を軽減できる。また、キャリア通信網側の端末はＳＩＰ内線網１０内のＳＩＰ端末がネット家電機器であることを意識せずに接続することができる。さらに、内線網ＳＩＰサーバ３０は複数のキャリアＡ，Ｂ，Ｃに登録した仮想的なユーザエージェントの０５０電話番号を持つだけで、キャリアＳＩＰサーバ５１，５２，５３の如くキャリア間通信を可能にするために装備する顧客情報データベース、ＩＰ呼制御装置等の設備を持つことなく、各キャリア通信網に接続することができる。
【００４７】
次に、ＳＩＰ内線網１０内のＳＩＰ端末に着信する様々な形態について説明する。ＳＩＰ内線網１０内のＳＩＰ端末として図１におけるＩＰ電話機１８を例に説明するが、ＩＰ電話機以外のネット家電機器であっても同様である。
【００４８】
ＩＰ電話機１８の内線番号に０５０電話番号が１対１で対応付けられている場合（０５０番号有り）と、１対１で対応付けられていない場合（０５０番号無し）とがあり、さらにＩＰ電話機１８の内線番号に対して代表番号が対応付けられている場合（代表番号有り）と代表番号が対応付けられていない場合（代表番号無し）とがある。また、発信元がＳＩＰ内線網１０内のＳＩＰ端末（内線電話）、キャリアＶｏＩＰ網から着信するＩＰ電話機（他ＩＰ電話）、キャリアＰＳＴＮ網からキャリアＶｏＩＰ網経由で着信する一般電話機（一般電話）である場合が想定される。
【００４９】
図９はＳＩＰ内線網１０内のＩＰ電話機１８に着信する場合の電話番号と発信元との組合せに応じた接続例を示す図である。
（１）着信側電話番号パターンＡの場合
・発信元：ＳＩＰ内線網１０内のＩＰ電話機１９
ＩＰ電話機１９は、ＩＰ電話機１８の内線番号がダイアルされると、内線網ＳＩＰサーバ３０経由でＩＰ電話機１８に接続し、自分の内線番号をＩＰ電話機１８に通知する（図１０の経路（イ））。経路（イ）は、ＳＩＰ内線網１０内に閉じているので料金は掛からない。
・発信元：同一キャリアＡのＩＰ電話機４６
ＩＰ電話機４６は、ＩＰ電話機１８のＩＰ電話番号がダイアルされると、同一キャリアＡのＶｏＩＰ網４１、内線網ＳＩＰサーバ３０経由でＩＰ電話機１８に接続し（図１０の経路（ロ））、自分の０５０電話番号を内線網ＳＩＰサーバ３０経由でＩＰ電話機１８に通知する。ここで、同一キャリアとは、ＳＩＰ相互接続部３３が仮想的なユーザエージェントを登録したキャリアのことである。そのキャリアからユーザエージェントに対して付与された０５０電話番号をＳＩＰ相互接続部３３に収容している。
・発信元：他のキャリアＸのＩＰ電話機２２
ＩＰ電話機２２は、ＩＰ電話機１８のＩＰ電話番号がダイアルされると、キャリアＸのＶｏＩＰ網２３、同一キャリアＢのＶｏＩＰ網４２、内線網ＳＩＰサーバ３０経由でＩＰ電話機１８に接続する（図１０の経路（ハ））。ＳＩＰ相互接続部３３はキャリアＢに仮想的にユーザエージェントを登録していて、キャリアＢの０５０電話番号を付与されている。ＳＩＰ相互接続部３３から見て、キャリアＢのＶｏＩＰ網４２は同一キャリアとなる。ところが、ＳＩＰ相互接続部３３はキャリアＸには仮想的にユーザエージェントを登録していない。そのため、経路（ハ）において、ＩＰ電話機２２に対してキャリアＢのＶｏＩＰ網４２で料金が発生する。
・発信元：ＰＳＴＮ網５４の一般電話機５７
一般電話機５７は、ＩＰ電話機１８の０５０電話番号がダイアルされると、ＰＳＴＮ網５４経由で同一キャリアＡのＶｏＩＰ網４１に接続し、そこから内線網ＳＩＰサーバ３０経由でＩＰ電話機１８に接続する（図１０の経路（ニ））。この場合、ＰＳＴＮ網５４において料金が発生する。
（２）着信側電話番号パターンＢの場合
・発信元：ＳＩＰ内線網１０内のＩＰ電話機１９
ＩＰ電話機１９は、ＩＰ電話機１８の内線番号がダイアルされると、内線網ＳＩＰサーバ３０経由でＩＰ電話機１８に接続し、自分の内線番号をＩＰ電話機１８に通知する（図１０の経路（イ））。
・発信元：同一キャリアＡのＩＰ電話機４６
ＩＰ電話機４６は、ＩＰ電話機１８の０５０電話番号又は代表番号がダイアルされると、同一キャリアＡのＶｏＩＰ網４１、内線網ＳＩＰサーバ３０経由でＩＰ電話機１８に接続する（図１０の経路（ロ））。発信元特定番号として０５０電話番号を発信先に通知する。
・発信元：他のキャリアＸのＩＰ電話機２２
ＩＰ電話機２２は、ＩＰ電話機１８のＩＰ電話番号又は代表番号がダイアルされると、キャリアＸのＶｏＩＰ網２３、同一キャリアＢのＶｏＩＰ網４２、内線網ＳＩＰサーバ３０経由でＩＰ電話機１８に接続する（図１０の経路（ハ））。このとき、キャリアＢのＶｏＩＰ網４２において料金が発生する。
・発信元：ＰＳＴＮ網５４の一般電話機５７
一般電話機５７は、ＩＰ電話機１８のＩＰ電話番号又は代表番号がダイアルされると、ＰＳＴＮ網５４に発呼処理し、ＰＳＴＮ網５４から同一キャリアＡのＶｏＩＰ網４１に接続し、そこから内線網ＳＩＰサーバ３０経由でＩＰ電話機１８に接続する（図１０の経路（ニ））。この場合、ＰＳＴＮ網５４において料金が発生する。
（３）着信側の電話番号パターンＣの場合
・発信元：ＳＩＰ内線網１０内のＩＰ電話機１９
ＩＰ電話機１９は、ＩＰ電話機１８の内線番号がダイアルされると、内線網ＳＩＰサーバ３０経由でＩＰ電話機１８に接続し、自分の内線番号をＩＰ電話機１８に通知する（図１０の経路（イ））。
・発信元：同一キャリアＡのＩＰ電話機４６
ＩＰ電話機４６は、ＩＰ電話機１８の代表番号がダイアルされると、キャリアＡのＶｏＩＰ網４１に発呼処理し、それを受けたＶｏＩＰ網４１が内線網ＳＩＰサーバ３０に発呼処理する。内線網ＳＩＰサーバ３０は代表番号に着信すると、音声ガイダンスで内線番号の入力を要請する。ＩＰ電話機４６から音声ガイダンスに従い内線番号が入力されると、内線網ＳＩＰサーバ３０が当該内線番号に対応したＩＰ電話機１８に接続する（図１０の経路（ロ））。
・発信元：他のキャリアＸのＩＰ電話機２２
ＩＰ電話機２２は、ＩＰ電話機１８の代表番号がダイアルされると、キャリアＸのＶｏＩＰ網２３に対して発呼処理し、さらにＶｏＩＰ網２３からキャリアＢのＶｏＩＰ網４２に発呼処理する。ＶｏＩＰ網４２は、それを受けて内線網ＳＩＰサーバ３０に代表番号にて発呼処理する。内線網ＳＩＰサーバ３０は代表番号に着信すると、音声ガイダンスで内線番号の入力を要請する。ＩＰ電話機２２から音声ガイダンスに従い内線番号が入力されると、内線網ＳＩＰサーバ３０が当該内線番号に対応したＩＰ電話機１８に接続する（図１０の経路（ハ））。このとき、キャリアＢのＶｏＩＰ網４２において料金が発生する。
・発信元：ＰＳＴＮ網５４の一般電話機５７
一般電話機５７は、ＩＰ電話機１８の代表番号がダイアルされると、ＰＳＴＮ網５４に発呼処理し、それを受けたＰＳＴＮ網５４がキャリアＡのＶｏＩＰ網４１に接続する。キャリアＡのＶｏＩＰ網４１は当該代表番号を収容する内線網ＳＩＰサーバ３０に発呼処理する。内線網ＳＩＰサーバ３０は代表番号に着信すると、音声ガイダンスで内線番号の入力を要請する。一般電話機５７から音声ガイダンスに従い内線番号が入力されると、内線網ＳＩＰサーバ３０が当該内線番号に対応したＩＰ電話機１８に接続する（図１０の経路（ニ））。この場合、ＰＳＴＮ網５４において料金が発生する。
【００５０】
次に、ＳＩＰ内線網１０内のＳＩＰ端末が発信する様々な形態について説明する。ＳＩＰ内線網１０内のＳＩＰ端末として図１におけるＩＰ電話機１８を例に説明する。
【００５１】
図１１はＳＩＰ内線網１０内のＩＰ電話機１８が発信する場合の電話番号と発信先との組合せに応じた接続例を示す図である。
（１）発信側電話番号パターンＡの場合
・発信先：ＳＩＰ内線網１０内のＩＰ電話機１９
ＩＰ電話機１８は、ＩＰ電話機１９の内線番号がダイアルされると、内線網ＳＩＰサーバ３０に対し発呼処理する。内線網ＳＩＰサーバ３０はＳＩＰ接続制御部３２からＩＰ電話機１９に接続し、ＩＰ電話機１８の内線番号をＩＰ電話機１９に通知する（図１０の経路（イ））。この場合、ＳＩＰ内線網１０内での通信であるので料金は発生しない。
・発信先：同一キャリアＡのＩＰ電話機４６
ＩＰ電話機１８は、ＩＰ電話機４６の０５０電話番号がダイアルされると、内線網ＳＩＰサーバ３０に対して発呼処理する。内線網ＳＩＰサーバ３０は同一キャリアＡのＶｏＩＰ網４１に対してキャリアＡの０５０電話番号で発呼処理する。ＶｏＩＰ網４１のキャリアＳＩＰサーバ５１は、発呼要求のあった０５０電話番号を持つＩＰ電話機４６に対して発呼処理する。その結果、内線網ＳＩＰサーバ３０、ＶｏＩＰ網４１経由でＩＰ電話機４６に接続する（図１０の経路（ロ））。発信元特定番号にはＩＰ電話機１８の０５０電話番号を入れて発信先に通知する。ＶｏＩＰ網４１は内線網ＳＩＰサーバ３０から見て同一キャリアであるので料金は発生しない。
・発信先：他のキャリアＸのＩＰ電話機２２
ＩＰ電話機１８は、ＩＰ電話機２２の０５０電話番号がダイアルされると、内線網ＳＩＰサーバ３０に対して発呼処理する。内線網ＳＩＰサーバ３０は同一キャリアＢのＶｏＩＰ網４２に対して同一キャリアＢの０５０電話番号を発信元電話番号として発呼処理する。発信先電話番号はキャリアＸの０５０電話番号である。キャリアＢのキャリアＳＩＰサーバ５２は、発信先電話番号がキャリアＸの０５０電話番号であるので、キャリアＸのＶｏＩＰ網２３に対して発呼処理する。キャリアＸのＶｏＩＰ網２３は、この発呼処理を受けてＶｏＩＰ網２３経由でＩＰ電話機２２に接続する（図１０の経路（ハ））。このとき、キャリアＸのＶｏＩＰ網２３において料金が発生する。
・発信先：ＰＳＴＮ網５４の一般電話機５７
ＩＰ電話機１８は、一般電話機５７の電話番号がダイアルされると、内線網ＳＩＰサーバ３０に対して発呼処理する。内線網ＳＩＰサーバ３０は発信先電話番号がキャリアＡのＰＳＴＮ網電話番号であることを認識し、キャリアＡのＶｏＩＰ網４１に対し発呼処理する。このとき、発信元特定番号はキャリアＡの０５０電話番号に付け替えている。キャリアＡのＶｏＩＰ網４１は発信先電話番号に基づいてＰＳＴＮ網５４に接続し、ＰＳＴＮ網５４から一般電話機５７に発呼する（図１０の経路（ニ））。この場合、ＰＳＴＮ網５４において料金が発生する。
（２）発信側の電話番号パターンＢの場合
・発信先：ＳＩＰ内線網１０内のＩＰ電話機１９
ＩＰ電話機１８は、ＩＰ電話機１９の内線番号がダイアルされると、内線網ＳＩＰサーバ３０に対し発呼処理し、自分の内線番号を通知する。内線網ＳＩＰサーバ３０はＳＩＰ接続制御３２から発信先特定番号のＩＰ電話機１９に接続し、内線番号を通知する（図１０の経路（イ））。この場合、ＳＩＰ内線網１０内の通信であるので料金は発生しない。
・発信先：同一キャリアＡのＩＰ電話機４６
ＩＰ電話機１８は、ＩＰ電話機４６の０５０電話番号がダイアルされると、内線網ＳＩＰサーバ３０に対して発呼処理、発信元番号には０５０番号を入れて相手に通知する。内線網ＳＩＰサーバ３０は、発信先特定番号からキャリアＡのＶｏＩＰ網４１に対して発呼処理し、ＶｏＩＰ網４１がＩＰ電話機４６に接続する（図１０の経路（ロ））。この場合、キャリアＡのＶｏＩＰ網４１は同一キャリアであるので料金は発生しない。
・発信先：他のキャリアＸのＩＰ電話機２２
ＩＰ電話機１８は、ＩＰ電話機２２の０５０電話番号がダイアルされると、内線網ＳＩＰサーバ３０に対して発呼処理し、発信元番号には０５０番号を入れて相手に通知する。内線網ＳＩＰサーバ３０は発信先特定番号がキャリアＸの０５０電話番号であるが、キャリアＸのＶｏＩＰ網２３に直接接続するための０５０電話番号を収容していない。そこで、内線網ＳＩＰサーバ３０は、同一キャリアＢのＶｏＩＰ網４２に発呼処理する。キャリアＢのＶｏＩＰ網４２は、発信先特定番号がキャリアＸの０５０電話番号であるので、キャリア間通信にて、キャリアＸのＶｏＩＰ網２３に発呼処理し、キャリアＸのＶｏＩＰ網２３からＩＰ電話機２２に接続する（図１０の経路（ハ））。このとき、キャリアＸのＶｏＩＰ網２３において料金が発生する。
なお、図１１では０５０電話番号を使用する場合を例示しているが、発信元番号に代表番号を使って発信することもできる。この場合、ＩＰ電話機１８は、発信元番号に代表番号を入れ、転送元番号に自分の内線番号を入れることになる。
・発信先：ＰＳＴＮ網５４の一般電話機５７
ＩＰ電話機１８は、一般電話機５７の電話番号がダイアルされると、内線網ＳＩＰサーバ３０に対して発呼処理し、発信元番号には０５０番号を入れて相手に通知する。内線網ＳＩＰサーバ３０は発信先特定番号がキャリアＡのＰＳＴＮ網５４の電話番号であるので、キャリアＡのＶｏＩＰ網４１に対して発呼処理する。ＶｏＩＰ網４１は、発信先特定番号がキャリアＡのＰＳＴＮ網５４の電話番号であるので、ＶｏＩＰ網４１からＰＳＴＮ網５４に接続し、ＰＳＴＮ網５４から一般電話機５７に発呼する（図１０の経路（ニ））。この場合、ＰＳＴＮ網５４において料金が発生する。なお、図１１では０５０電話番号を使用する場合を例示しているが、発信元番号に代表番号を使って発信することもできる。この場合、ＩＰ電話機１８は、発信元番号に代表番号を入れ、転送元番号に自分の内線番号を入れることになる。
（３）発信側電話番号パターンＣの場合
・発信先：ＳＩＰ内線網１０内のＩＰ電話機１９
ＩＰ電話機１８は、ＩＰ電話機１９の内線番号がダイアルされると、内線網ＳＩＰサーバ３０に対して発呼処理し、発信元特定番号として内線番号を通知する。内線網ＳＩＰサーバ３０はＳＩＰ内線網１０経由でＩＰ電話機１９に接続し、発信元特定番号として内線番号を通知する（図１０の経路（イ））。
・発信先：同一キャリアＡのＩＰ電話機４６
ＩＰ電話機１８は、ＩＰ電話機４６の０５０電話番号がダイアルされると、内線網ＳＩＰサーバ３０に対して発呼処理し、発信元特定番号として代表番号を、転送元番号として自分の内線番号を通知する。内線網ＳＩＰサーバ３０は、発信先特定番号からキャリアＡのＶｏＩＰ網４１に対して発呼処理し、発信元特定番号として代表番号を、転送元番号として内線番号を通知する。キャリアＡのキャリアＳＩＰサーバ５１は、ＶｏＩＰ網４１経由でＩＰ電話機１９に接続し、発信元特定番号として代表番号を、転送元番号として内線番号を通知する（図１０の経路（ロ））。
【００５２】
ここで、ＳＩＰ相互接続部３３は、複数のキャリアＡ，Ｂ，Ｃからそれぞれ付与されたＩＰ電話番号又は代表番号の少なくとも一方を収容している。したがって、キャリアＡのＶｏＩＰ網４１からキャリアＢのＶｏＩＰ網４２を経由してＩＰ電話機１９に接続する第１ルートと、内線網ＳＩＰサーバ３０から直接キャリアＢのＶｏＩＰ網４２を経由してＩＰ電話機１９に接続する第２ルートとが想定されうる。しかし、第１ルートではＶｏＩＰ網４１−ＶｏＩＰ網４２間で料金が発生する。このような場合、発信先の属するキャリアＶｏＩＰ網の０５０電話番号がＳＩＰ相互接続部３３に収容されている場合、優先的にその０５０電話番号を使用して発信先の属するキャリアＶｏＩＰ網に直接接続することが望ましい。
・発信先：他のキャリアＸのＩＰ電話機２２
ＩＰ電話機１８は、キャリアＸのＩＰ電話機２２の０５０電話番号がダイアルされると、内線網ＳＩＰサーバ３０に発呼処理し、発信元特定番号として代表番号を、転送元番号として自分の内線番号を通知する。内線網ＳＩＰサーバ３０は、発信先特定番号がキャリアＸの０５０電話番号であることから、キャリアＢのＶｏＩＰ網４２に発呼処理し、発信元特定番号として代表番号を、転送元番号として自分の内線番号を通知する。キャリアＢのＶｏＩＰ網４２は、キャリアＸのＶｏＩＰ網２３に発呼処理し、発信元特定番号として代表番号を、転送元番号として自分の内線番号を通知する。キャリアＸのＶｏＩＰ網２３がＩＰ電話機２２に接続して発信元特定番号として代表番号を、転送元番号として自分の内線番号を通知する（図１０の経路（ハ））。この場合、キャリアＸのＶｏＩＰ網２３において料金が発生する。
【００５３】
ＳＩＰ相互接続部３３は、複数のキャリアＡ，Ｂ，Ｃからそれぞれ付与された０５０電話番号又は代表番号の少なくとも一方を収容しているが、キャリアＸのＶｏＩＰ網２３に接続する０５０電話番号は未収容である。このような場合、仮想的なユーザエージェントを登録しているキャリアＡ，Ｂ，Ｃのいずれかを経由してキャリアＸのＶｏＩＰ網２３に接続する。
・発信先：ＰＳＴＮ網５４の一般電話機５７
ＩＰ電話機１８は、一般電話機５７がダイアルされると、内線網ＳＩＰサーバ３０に発呼処理し、発信元特定番号として代表番号を、転送元番号として自分の内線番号を通知する。内線網ＳＩＰサーバ３０は、発信先特定番号がキャリアＡのＰＳＴＮ網の電話番号であることから、同一キャリアＡのＶｏＩＰ網４１に発呼処理し、発信元特定番号として代表番号を、転送元番号として自分の内線番号を通知する。キャリアＡのＶｏＩＰ網４１は、ＰＳＴＮ網５４に接続し、ＰＳＴＮ網５４から一般電話機５７に発呼して発信元特定番号として代表番号を、転送元番号として自分の内線番号を通知する（図１０の経路（ニ））。この場合、ＰＳＴＮ網５４において料金が発生する。
【００５４】
次に、ＳＩＰ内線網１０内のＳＩＰ端末又はキャリア通信網の端末に対してアプリケーション提供する場合について説明する。なお、図３にはＳＩＰ内線網１０上のアプリケーションサーバとして、内線網ＳＩＰサーバ３０に直結する形態を例示しているが、インターネット網経由で接続する形態であっても良い。いずれの形態であっても、アプリケーションサーバの接続は内線網ＳＩＰサーバ３０経由で行われるものとなる。
【００５５】
図１２を参照してＳＩＰ内線網１０内のＳＩＰ端末（例えばＩＰ電話機１８）でアプリケーションＡのサービス提供を受ける場合を説明する。ここで、ＳＩＰ内線網１０を管理する事業者又はその事業者から許可された者がＳＩＰ内線網１０内で幾つかのアプリケーションＡ、Ｂを提供している。実際には、内線番号を付与されたアプロケーションサーバがアプリケーションに応じたサービスを提供する。図１２に示すように、内線網ＳＩＰサーバ３０のデータベース３４には各アプリケーションのサービス名Ａ，Ｂと当該サービスに付与した内線番号と０５０電話番号とが対応付けられている。なお、データベース３４はＳＩＰ内線網１０内のＳＩＰ端末に付与されているＩＰアドレスも管理している。
【００５６】
ＳＩＰ内線網１０内のＩＰ電話機１８がアプリケーションＡにアクセスする場合、ＩＰ電話機１８からアプリケーションＡの内線番号(8712-3456)をダイアルする。内線網ＳＩＰサーバ３０は、ＩＰ電話機１８から発信元にＩＰ電話機１８の内線番号が設定され、発信先にアプリケーションＡの内線番号(8712-3456)が設定されたＩＮＶＩＴＥリクエストを受信することになる。
【００５７】
内線網ＳＩＰサーバ３０のＳＩＰ本体３１は、上記ＩＮＶＩＴＥリクエストを受信すると、データベースを参照してアプリケーションＡのＩＰアドレスを取得する。取得したＩＰアドレスを、ＩＮＶＩＴＥリクエストを送信データに含むＩＰパケットのヘッダに設定してインターネット網上に送出する。
【００５８】
アプリケーションＡ（アプリケーションサーバ）は、上記ＩＮＶＩＴＥリクエストを受信すると、内線網ＳＩＰサーバ３０を介したシグナリングによって発信元のＩＰ電話機１８との間にセッションを確立する。この結果、ＩＰ電話機１８がアプリケーションＡからインターネット網経由で直接サービス提供を受けることができるようになる。
【００５９】
ここで、アプリケーションサービスの一例として以下に音声によるものを例示するが、本発明は音声サービスに関するものに限定されない。
【００６０】
アプリケーションＡがＩＰ電話機の音声品質をチェックするサービスを提供する。アプリケーションＡがＩＰ電話機１８から受信した音声パケットを分析して、音声品質をチェックする。その分析結果を音声でＩＰ電話機１８へ通知する。サービス要求してきた端末に対してアプリケーションサーバがサービス提供する片方向のサービス事例として、情報検索サービス、カラオケ採点サービス、楽曲等配信サービス、その他のサービスが可能である。情報検索サービスとしては、音声認識と組み合わせて情報検索するサービスが可能で、アプリケーションに接続（ログイン）した端末から入力される音声キーワードに基づいてアプリケーションが検索を実行して、その検索結果を音声又はデータで端末へ返信する。カラオケ採点サービスとしては、アプリケーションに接続（ログイン）した端末から入力されるユーザの歌声をアプリケーションが採点し、採点結果を音声又はデータで端末へ返信する。楽曲等配信サービスとしては、アプリケーションに接続（ログイン）した端末からＢＧＭ、ＢＧＶ、楽曲（メロディのみを含む）等の配信希望曲を入力するとアプリケーションが該当データをデータベースから取り出して端末へ返信する。なお、楽曲等配信サービスとして、例えばＢＧＭの提供サービスと楽曲（メロディのみを含む）の配信サービスとを連携し、ユーザがＢＧＭをダウンロードして試聴した上でそのＢＧＭ自体の楽曲をダウンロードできるようにすることが望ましい。この他にも各種情報を音声で端末へ情報提供するサービスが挙げられる。
【００６１】
また、ＳＩＰ内線網１０外からアプリケーションＡ，Ｂのサービス提供を受けることもできる。図１３は、ＳＩＰ内線網１０外のＩＰ電話機４６（キャリアＡ）からアプリケーションＡのサービス提供を受ける場合の概念図である。
【００６２】
ＳＩＰ内線網１０外のＩＰ電話機４６がアプリケーションＡにアクセスする場合、ＩＰ電話機４６からアプリケーションＡのＩＰ電話番号(050-1234-5678)をダイアルする。キャリアＡのキャリアＳＩＰサーバ５１を経由して当該ＩＰ電話番号(050-1234-5678)を収容する内線網ＳＩＰサーバ３０に着信する。
【００６３】
内線網ＳＩＰサーバ３０のＳＩＰ本体３１は、ＳＩＰ相互接続部３３に外線が着信すると、データベース３４を参照して、発信先のアプリケーションＡの内線番号を取得する。このときアプリケーションＡ（アプリケーションサーバ）のＩＰアドレスも取得し、発信先電話番号を内線番号に書き換えたＩＮＶＩＴＥリクエストをアプリケーションＡへ送信する。ＩＮＶＩＴＥリクエストの送信は、当該送信データに含むＩＰパケットの宛先アドレスにアプリケーションＡのＩＰアドレスを設定してインターネット網上に送出することにより行われる。
【００６４】
アプリケーションＡ（アプリケーションサーバ）は、上記ＩＮＶＩＴＥリクエストを受信すると、内線網ＳＩＰサーバ３０、キャリアＡのＶｏＩＰ網４１を介したシグナリングによって発信元のＩＰ電話機４６との間にセッションを確立する。セッション確立後は、ＩＰ電話機４６はアプリケーションＡのＩＰアドレスに対して、ＲＴＰの音声接続を行い、アプリケーションＡから直接インターネット網経由で音声サービスを受けることができるようになる。
【００６５】
次に、キャリア通信網からＳＩＰ内線網１０内のＩＰ電話機と通話中にアプリケーションＡを利用する場合について説明する。
【００６６】
図１４はＶｏＩＰ網４１のＩＰ電話機４６からＳＩＰ内線網１０内のＩＰ電話機１８と通話中にアプリケーションＡに接続するまでの手順を示す図である。既に、ＶｏＩＰ網４１のＩＰ電話機４６とＳＩＰ内線網１０内のＩＰ電話機１８との間で通話している状態である。このような状態において、ＩＰ電話機４６のユーザがアプリケーションＡのＩＰ電話番号(050-1234-5678)をダイアルする。ＩＰ電話機４６は通話中にダイアルがあると、キャリアＳＩＰサーバ５１に対してダイアルされたＩＰ電話番号(050-1234-5678)への発呼処理を実行する。ＩＰ電話機４６は、この発呼処理によってキャリアＳＩＰサーバ５１に対し発信先にアプリケーションＡのＩＰ電話番号(050-1234-5678)が設定されたＩＮＶＩＴＥリクエストを送信する。
【００６７】
キャリアＳＩＰサーバ５１は、ＩＰ電話機４６から受信したＩＮＶＩＴＥリクエストの発信先を見て、当該ＩＰ電話番号を収容する内線網ＳＩＰサーバ３０にＩＮＶＩＴＥリクエストを送信する。
【００６８】
内線網ＳＩＰサーバ３０は、受信したＩＮＶＩＴＥリクエストの発信先を見て、通話中のＩＰ電話機１８とＩＰ電話機４６をアプリケーションＡに接続する。すなわち、内線網ＳＩＰサーバ３０からＩＰ電話機１８及びＩＰ電話機４６の双方に対してアプリケーションＡに再接続するように指示を出す。ＳＩＰ内線網１０内のＩＰ電話機１８に対してはＳＩＰ接続制御部３２から再接続指示が送信され、キャリアＶｏＩＰ網４１のＩＰ電話機４６に対してはＳＩＰ相互接続部３３から再接続指示が送信される。このとき、ＳＩＰ本体３１は、データベース３４からアプリケーションＡのＩＰアドレスを取得して再接続指示に含めている。
【００６９】
再接続指示を受けたＩＰ電話機１８及びＩＰ電話機４６は、アプリケーションＡのＩＰアドレスに対して、ＲＴＰの音声接続を行い、音声サービスを受ける。例えば、アプリケーションＡでリアルタイム翻訳サービスを提供するものとする。この場合、ＩＰ電話機１８、ＩＰ電話機４６及びアプリケーションＡは相互にセッションを確立し、アプリケーションＡがＩＰ電話機１８から受信する音声を翻訳した翻訳音声をＩＰ電話機４６へ送信し、逆にＩＰ電話機４６から受信する音声を翻訳した翻訳音声をＩＰ電話機１８へ送信するようにする。又は一方向に対してだけ翻訳サービスを提供するように制御することも可能である。この場合、アプリケーションＡに対する接続要求を発生したＩＰ電話機４６から見て、相手側端末となるＩＰ電話機１８に対してだけ翻訳サービスを提供するか、自身側端末となるＩＰ電話機４６に対してだけ翻訳サービスを提供するようにしても良い。サービス提供する端末の指定は、接続要求を発生した端末側から行うようにする。例えば、端末からアプリケーションの電話番号を入力した後に、サービス提供する端末を指定するデータをダイアル入力する。また、内線網ＳＩＰサーバ３０経由で接続した双方の端末に音声サービスを提供する例として天気予報提供サービスが挙げられる。いずれか一方の端末又は双方の端末から天気予報サービスのアプリケーションサーバに接続して（通話状態のまま天気予報サービスの電話番号をダイアルする）、天気予報の音声サービスの提供を受けるようにする。また、ＳＩＰ内線網１０のＳＩＰ端末に対するサービス提供の例としてメンテナンスサービスが挙げられる。ＳＩＰ内線網１０のＳＩＰ端末が内線網ＳＩＰサーバ３０経由でメンテナンスサービスを提供するアプリケーションサーバに接続し、最新データのダウンロード、バージョンチェック等のサービスを受ける。内線網ＳＩＰサーバ３０経由で接続した他の端末と通話中にメンテナンスサービスの電話番号をダイアルしてアプリケーションサーバからメンテナンスサービスを受けられるようにしても良い。
【００７０】
次に、ＩＰテレビ電話機を使った会話支援システムの構築例を説明する。先ず、電話を介して商品を注文する場合の会話支援システムについて説明する。
【００７１】
図１５は商品の注文支援を行う概念図である。同図に示すように、購入者及び販売店の双方にＩＰテレビ電話機１００、１１０を設置する。ＩＰテレビ電話機１００は、ＩＰ電話機本体１０１、映像を表示するテレビモニタ１０２、映像を撮影するカメラ１０３から構成される。ＩＰテレビ電話機１１０は、ＩＰ電話機本体１１１、注文支援のための商品説明画面等を表示／切り替え等する注文支援システムを搭載したパーソナルコンピュータ１１２、映像を撮影するカメラ１１３から構成される。なお、ＩＰテレビ電話機１００はＳＩＰ内線網１０内にあり、ＩＰテレビ電話機１１０はキャリアＡのＶｏＩＰ網４１にあるＩＰ端末４７であるものとする。
【００７２】
購入者がＩＰテレビ電話機１００からＩＰテレビ電話機１１０の０５０電話番号をダイアルする。ＩＰテレビ電話機１００は内線網ＳＩＰサーバ３０に発呼処理する。これを受けた内線網ＳＩＰサーバ３０はキャリアＡのＶｏＩＰ網４１に対してキャリアＡから付与されている０５０電話番号からＩＰテレビ電話機１１０の０５０電話番号に対して発呼処理する。キャリアＡのキャリアＳＩＰサーバ５１は、ＩＰテレビ電話機１１０に対する発呼を受けてＩＰテレビ電話機１１０に接続を行う。
【００７３】
販売店のオペレータはＩＰ電話機１１０に着信があり、発信元のＩＰ電話機１００がＩＰテレビ電話機であると判明すると、映像コミュニケーション機能をアクティブにする。これにより、ＩＰテレビ電話機１００とＩＰテレビ電話機１１０との間でＳＩＰの制御を使って映像コミュニケーションを開始することができる。映像信号は音声信号と同様に端末間で直接送受信される。
【００７４】
映像コミュニケーションを開始すると、注文を受け付けるオペレータの映像がカメラ１１３から取り込まれてＩＰテレビ電話機１１０からＩＰテレビ電話機１００へ送られる。ＩＰテレビ電話機１００は、テレビモニタ１０２に対して映像信号を出力して送られてきたオペレータの映像を表示させる。
【００７５】
販売店のオペレータは、注文の会話に併せて注文支援のための画面をパーソナルコンピュータ１１２の操作で注文支援システムに伝える。注文支援システムは、オペレータの操作に応じて選択された商品説明画面をＩＰテレビ電話機本体１１１へ送る。注文支援システムから供給される画像とカメラ１１３から供給される画像とは自動又は操作によって切り替えられる。ＩＰテレビ電話機本体１１１へ送られた商品説明画面は音声信号と同様にＩＰテレビ電話機１００へ直接送信され、テレビモニタ１０２に表示される。例えば、購入者が会話の中で商品ａを注文した場合、オペレータが商品ａの画像を注文支援システムで選択して購入者のテレビモニタ１０２に表示させることができる。これにより、購入者は自分で注文した商品をテレビモニタ１０２で確認できるので、類似した商品名や型番などによる勘違い／注文ミスを未然に防止でき、的確で正確な注文を実現できる。
【００７６】
また、販売店のオペレータに専門家を配置し、音声でコンサルティングを行いながら商品の映像や紹介ビデオを同時にＩＰテレビ電話機１００へ送信してテレビモニタ１０２に表示させ、ユーザのニーズを確実に反映させた注文支援を行うことができる。
【００７７】
また、上記ＩＰテレビ電話機を使った会話支援システムと手話通訳サービスを提供するアプリケーションとを組み合わせることにより聴覚障害者の会話支援を実現することもできる。例えば、聴覚障害者側のＩＰテレビ電話機と相手のＩＰテレビ電話機とを接続し、一方のＩＰテレビ電話機から手話通訳サービスを提供するアプリケーションの０５０電話番号をダイアルする。これにより、双方のＩＰ電話機はそのアプリケーションへ再接続する。ここまでは上述したアプリケーションの例と同じである。アプリケーションに接続後は、聴覚障害者側のカメラから手話画像を取り込んでアプリケーションへ送信し、アプリケーションから音声翻訳した音声信号を相手のＩＰテレビ電話機へ送出する。一方、相手のＩＰテレビ電話機に入力された通話者の音声をアプリケーションへ送信し、アプリケーションが手話画像に翻訳して聴覚障害者のＩＰテレビ電話機へ送信する。そして、聴覚障害者のＩＰテレビ電話機に接続したテレビモニタに手話画像を映し出す。このようにして、手話通訳サービスを同時利用可能になる。なお、上記の例では双方の端末に対して手話通訳サービスを提供しているが、一方の端末に対してだけ手話通訳サービスを提供するようにしても良い。例えば、一方の端末から手話通訳サービスを提供するアプリケーションの０５０電話番号をダイアルし、さらに手話通訳サービスを提供する端末を指定するデータをダイアル入力する。これにより、双方の端末をアプリケーションに接続し、指定された端末に対してだけ手話通訳サービスを提供する。
【産業上の利用可能性】
【００７８】
本発明は、通信事業者のシステム仕様に合わせた顧客情報データベース、ＩＰ呼制御装置等を用意することなく、独自通信網内の端末をキャリア通信網に接続可能で、ＳＩＰ内線網１０のＳＩＰ端末の接続制御を行う内線網ＳＩＰサーバに適用可能である。
【図面の簡単な説明】
【００７９】
【図１】内線網ＳＩＰサーバを含んだネットワーク全体の構成図
【図２】図１に示すネットワーク構成において、インターネット網、ＩＳＰ網、ＳＩＰ内線網、ＶｏＩＰ網、ＰＳＴＮ網の関係を示した概念図
【図３】内線網ＳＩＰサーバのシステム構成図
【図４】複数のキャリアとＳＩＰ相互接続部との関係を示す概念図
【図５】キャリアＳＩＰサーバ及び内線網ＳＩＰサーバのデータベースに登録されるＩＰ電話番号と内線番号の対応関係を示す概念図
【図６】ＳＩＰ内線網に対する外線着信／外線発信を説明するための概念図
【図７】（ａ）ＳＩＰ内線網に外線着信があった場合のキャリアＶｏＩＰ網及びＳＩＰ内線網での発信元及び発信先の特定番号の状態を示す図、（ｂ）ＳＩＰ内線網から外線着信があった場合のキャリアＶｏＩＰ網及びＳＩＰ内線網での発信元及び発信先の特定番号の状態を示す図
【図８】ＳＩＰ内線網に外線着信があった場合のＩＮＶＩＴＥリクエストの具体例を示す図
【図９】ＳＩＰ内線網内のＩＰ電話機に着信する場合の電話番号と発信元との組合せに応じた接続手順を示す図
【図１０】図９に示す組合せに対応した接続経路を示す図
【図１１】ＳＩＰ内線網内のＩＰ電話機が発信する場合の電話番号と発信先との組合せに応じた接続手順を示す図
【図１２】ＳＩＰ内線網内のＩＰ電話からアプリケーションサービスを受ける場合の概念図
【図１３】ＳＩＰ内線網外のＩＰ電話機からアプリケーションサービスを受ける場合の概念図
【図１４】ＶｏＩＰ網のＩＰ電話機からＳＩＰ内線網内のＩＰ電話機と通話中にアプリケーションに接続する手順を示す図
【図１５】商品を注文する場合の概念図
【符号の説明】
【００８０】
１０  ＳＩＰ内線網
１１  ＩＳＰ−ＡによるＩＳＰ網
１２  ＩＳＰ−ＢによるＩＳＰ網
１３  ＩＳＰ−ＣによるＩＳＰ網
１４、１５、１６、１７  ルータ
１８、１９、２２、４６  ＩＰ電話機
３０  内線網ＳＩＰサーバ
３１  ＳＩＰ本体
３２  ＳＩＰ接続制御部
３３  ＳＩＰ相互接続部
３４  データベース
４１  キャリアＡのＶｏＩＰ網
４２  キャリアＢのＶｏＩＰ網
４３  キャリアＣのＶｏＩＰ網
５１  キャリアＡのキャリアＳＩＰサーバ
５２  キャリアＢのキャリアＳＩＰサーバ
５３  キャリアＣのキャリアＳＩＰサーバ
５４  キャリアＡのＰＳＴＮ網
５５  キャリアＢのＰＳＴＮ網
５６  キャリアＣのＰＳＴＮ網
５７  一般電話機
【図１】
2006109110.tif 000003
【図２】
2006109110.tif 000004
【図３】
2006109110.tif 000005
【図４】
2006109110.tif 000006
【図５】
2006109110.tif 000007
【図６】
2006109110.tif 000008
【図７】
2006109110.tif 000009
【図８】
2006109110.tif 000010
【図９】
2006109110.tif 000011
【図１０】
2006109110.tif 000012
【図１１】
2006109110.tif 000013
【図１２】
2006109110.tif 000014
【図１３】
2006109110.tif 000015
【図１４】
2006109110.tif 000016
【図１５】
2006109110.tif 000017